(57)【特許請求の範囲】
【請求項１】
カード型本体と、前記本体に配設され生体情報を検出する生体情報検出手段と、前記本体に配設され前記生体情報検出手段の出力信号を記憶する記憶手段と、前記本体に配設され前記生体情報検出手段と前記記憶手段との出力信号を表示する表示手段とを備え、前記生体情報検出手段は、前記カード型本体の一方の表面に配設された心電図、体脂肪率、皮膚抵抗の少なくとも１つを検出するための複数の電極を備えるとともに、前記電極に対向した前記カード型本体の他方の表面に配設された脈波を検出するための発光部及び受光部、体温や皮膚温を検出するための温度検出部の少なくとも１つを備えた生体モニタ装置。
【請求項２】
名前、身長、体重といった個体属性や治療に関する情報を入力可能な入力手段を本体に備え、前記入力手段の出力信号を記憶手段に記憶することが可能な請求項１記載の生体モニタ装置。
【請求項３】
生体情報検出手段の出力信号に基づき、脈拍数、不整脈回数、速度脈波、加速度脈波、脈波伝播時間、血圧、体脂肪率、皮膚温、体温といった生理心理指標の少なくとも一つを演算する演算手段を本体に備え、前記演算手段の出力信号を記憶手段に記憶することが可能な請求項１または２のいずれか１項記載の生体モニタ装置。
【請求項４】
生体情報検出手段、演算手段、及び記憶手段の少なくとも１つと外部の情報処理装置とを通信可能とする通信手段を本体に備えた請求項１乃至３のいずれか１項記載の生体モニタ装置。
【請求項５】
本体が外部の情報処理装置のデータ通信用スロットに着脱可能な請求項４記載の生体モニタ装置。
【請求項６】
通信手段は、外部の情報処理装置と電話回線で通信可能な請求項５記載の生体モニタ装置。
【発明の詳細な説明】
【０００１】
【発明の属する技術分野】
本発明は携帯型の生体モニタ装置に関するものである。
【０００２】
【従来の技術】
従来のこの種の生体モニタ装置は以下のようなものであった。
【０００３】
先ず、特開平５−１３７６９８号公報（以下、従来例１とする）では、図１２に示すように、自動血圧計本体１にカード型記録媒体２を着脱自在とする挿入部３を設けた自動血圧測定装置が開示された。これは同図のように、挿入部３にカード型記録媒体２を差し込み、自動血圧計本体１で血圧を測定すると、測定した血圧値をカード型記録媒体２に記憶するものであった。測定後はカード型記録媒体２を本体１から抜けば、カード型記録媒体２を携帯することができた。また、カード型記録媒体２を本体１に差し込めば、カード型記録媒体２に記憶したデータを読み取り可能で、例えば、過去からの血圧値のトレンドを自動血圧計本体１に表示することができた。
【０００４】
また、特開平７−８８０９０号公報（以下、従来例２とする）では、図１３に示すように、親機のカフ式の血圧測定装置４と、血圧データの転送装置５と、子機の電子腕時計式血圧計６とを備えたシステム血圧計が開示された。これは同図のように、親機の血圧測定装置４で正確な血圧を測定し、測定した血圧データを転送装置５で子機の電子腕時計式血圧計６に転送し、電子腕時計式血圧計６は、転送されてきた血圧データを、そのとき心電波検出電極７で検出した心電波と光学素子部８で検出した脈拍データと関連付けて記憶し、その後、心電波と脈拍を検出して、この検出した心電波と脈拍及び記憶した血圧データから血圧を演算して、表示部９に表示するものであった。
【０００５】
【発明が解決しようとする課題】
しかしながら、従来例１の自動血圧測定装置は、カード型記録媒体２には血圧測定機能がなく、携帯して血圧を測定する場合は、自動血圧計本体１が大きすぎて容易に携帯することは出来ないため、簡便性がなく、使い勝手が悪いという課題を有していた。
【０００６】
また、従来例２のシステム血圧計は、電子腕時計式血圧計６を腕に装着して携帯することが可能だが、使用の際は必ず手首に装着しなくてはならず、使用する際に手間がかかる上、装着による拘束感があるといった課題があった。
【０００７】
【課題を解決するための手段】
本発明は上記課題を解決するために、カード型本体と、前記本体に配設され生体情報を検出する生体情報検出手段と、前記本体に配設され前記生体情報検出手段の出力信号を記憶する記憶手段とを備え、前記生体情報検出手段は、前記カード型本体の一方の表面に配設された心電図、体脂肪率、皮膚抵抗の少なくとも１つを検出するための複数の電極を備えるとともに、前記電極に対向した前記カード型本体の他方の表面に配設された脈波を検出するための発光部及び受光部、または、体温や皮膚温を検出するための温度検出部の少なくとも１つを備えたものである。
【０００８】
上記発明によれば、生体情報検出手段と前記生体情報検出手段の出力信号を記憶する記憶手段とがカード型本体に配設されているため、軽量、薄形で携帯性がよく、使用時の手間がかからない上、身に付けていても拘束感のない生体モニタ装置を実現することができる。また、生体情報検出手段が、脈波、心電図、体脂肪率、皮膚抵抗、体温の少なくとも１つを検出するので、１つのカード型本体で効率的に生体情報を検出することができる。
【０００９】
【発明の実施の形態】
本発明の請求項１にかかる生体モニタ装置は、カード型本体と、前記本体に配設され生体情報を検出する生体情報検出手段と、前記本体に配設され前記生体情報検出手段の出力信号を記憶する記憶手段と、前記本体に配設され前記生体情報検出手段と前記記憶手段との出力信号を表示する表示手段とを備え、前記生体情報検出手段は、前記カード型本体の一方の表面に配設された心電図、体脂肪率、皮膚抵抗の少なくとも１つを検出するための複数の電極を備えるとともに、前記電極に対向した前記カード型本体の他方の表面に配設された脈波を検出するための発光部及び受光部、または、体温や皮膚温を検出するための温度検出部の少なくとも１つを備えたものである。
【００１０】
そして、カード型本体に配設された生体情報検出手段に生体の一部を接触するか、または、カード型本体を身に付けて携帯するだけで生体情報を検出し、その生体情報を前記本体に配設された記憶手段に記憶するとともに、表示手段に表示するので、薄形で収納性、携帯性に優れ、使用する際に手間がかからない上、身に付けていても拘束感なく生体情報をモニタすることができる。また、生体情報検出手段が、脈波、心電図、体脂肪率、皮膚抵抗、体温の少なくとも１つを検出するので、１つのカード型本体で効率的に生体情報を検出することができる。
【００１１】
本発明の請求項２にかかる生体モニタ装置は、氏名、身長、体重といった個人属性や治療に関する情報を入力可能な力手段を本体に備え、前記入力手段の出力信号を記憶手段に記憶することが可能なものである。
【００１２】
そして、カード型本体に前記生体情報とともに氏名、身長、体重といった個人属性や治療に関する情報を入力し記憶するので、例えば個人属性や治療に関する情報と生体情報との関係を解析して治療に役立てることができる。
【００１３】
本発明の請求項３にかかる生体モニタ装置は、生体情報検出手段の出力信号に基づき、脈拍数、不整脈回数、速度脈波、加速度脈波、脈波伝播時間、血圧、体脂肪率、皮膚温、体温といった生理心理指標の少なくとも一つを演算する演算手段を本体に備え、前記演算手段の出力信号を記憶手段に記憶することが可能なものである。
【００１４】
そして、生体情報検出手段の出力信号に基づき演算手段が、脈拍数、不整脈回数、速度脈波、加速度脈波、脈波伝播時間、血圧、体脂肪率、皮膚温、体温といった生理心理指標の少なくとも一つを演算し、記憶手段に記憶するので、１つのカード型本体で効率的に生理心理指標を演算することができる。
【００１５】
本発明の請求項４にかかる生体モニタ装置は、生体情報検出手段、演算手段、及び記憶手段の少なくとも１つと外部の情報処理装置とを通信可能とする通信手段を本体に備えたものである。
【００１６】
そして、本体に備えられた通信手段が、生体情報検出手段、演算手段、及び記憶手段の少なくとも１つと外部の情報処理装置とを通信可能とするので、例えば外部の情報処理装置で個体ごとの健康管理を行ったり、本体を所持している生体の生命活動の有無や現在位置といった安否情報を管理することができる。
【００１７】
本発明の請求項５にかかる生体モニタ装置は、本体が外部の情報処理装置のデータ通信用スロットに着脱可能なものである。
【００１８】
そして、本体が外部の情報処理装置のデータ通信用スロットに着脱可能なので、通信ケーブルが不要となり通信処理の際の操作を簡単にすることができる。
【００１９】
本発明の請求項６にかかる生体モニタ装置は、通信手段が、外部の情報処理装置と電話回線で通信可能なものである。
【００２０】
そして、通信手段が、外部の情報処理装置と電話回線で通信可能なので、遠隔地からのデータのやりとりができる。
【００２１】
【実施例】
以下、本本発明の実施例について図面を用いて説明する。
【００２２】
（実施例１）
図１は本発明の実施例１の生体モニタ装置のブロック図である。また、図２は同装置の外観図で、図２（ａ）、（ｂ）はそれぞれ同装置の表側と裏側の外観図である。図１において、１０はカード型の本体、１１は生体情報検出手段で、生体情報検出手段１１は、脈波を検出するための発光部１２ａと受光部１２ｂ、心電図、体脂肪率、及び皮膚抵抗の少なくとも１つを検出するための電極１３ａと１３ｂ、体温や皮膚温を検出するための温度検出部１４、心拍や呼吸による体表面の振動と身体動作による体動の少なくとも１つを検出するための振動検出部１５を備えている。
【００２３】
発光部１２ａと受光部１２ｂは、例えば近赤外線領域のＬＥＤとフォトダイオードを使用するのが望ましいが、可視光領域の素子を使用してもよい。振動検出部１５は、例えばＰＶＤＦ等の圧電フィルムに薄膜電極を形成したものを使用するのが望ましいが、薄形のセラミック圧電素子を用いてもよい。
【００２４】
１６は名前、身長、体重といった個体属性や治療に関する情報を入力可能な入力手段で、１７は生体情報検出手段１１の出力信号に基づき、脈拍数、不整脈回数、速度脈波、加速度脈波、脈波伝播時間、血圧、体脂肪率、皮膚温、体温、呼吸数、睡眠深度、運動量、緊張度といった生理心理指標の少なくとも一つを演算する演算手段、１８は生体情報検出手段１１、入力手段１６、演算手段１７の出力信号を記憶する記憶手段、１９は生体情報検出手段１１、演算手段１７、記憶手段１８の出力信号を表示する表示手段、２０は生体情報検出手段１１、演算手段１７、記憶手段１８と外部の情報処理装置２１とを通信可能とする通信手段である。２２は電極１３ａと１３ｂにより心電図、体脂肪率、及び皮膚抵抗を検出する際の選択部で、心電図を検出する場合は電極１３ａと１３ｂ間の電位差を、体脂肪率及び皮膚抵抗を検出する場合は電極１３ａと１３ｂ間の抵抗値をそれぞれ検出するように検出回路を選択する。選択部２２での検出回路の選択や演算手段１７での演算項目の設定については、例えば入力手段１６で設定できるようにすればよい。
【００２５】
図２（ａ）に示すように、本体１０の表側には、電極１３ａと１３ｂ、入力手段１６、表示手段１７が配設されており、本体１０の端部には通信手段２０が配設されている。また、図２（ｂ）に示すように、本体１０の裏側には、発光部１２ａと受光部１２ｂ、温度検出部１４が配設されており、振動検出部１５が埋設されている。電極１３ａと温度検出部１４、電極１３ｂと発光部１２ａ及び受光部１２ｂはそれぞれ本体１０の表側と裏側の同じ位置に相対して配設されている。
【００２６】
本体１０と外部の情報処理装置２２との間のデータ通信は、通信手段２０と情報処理装置２２との間をケーブルで接続するような構成としてもよいが、図３に示すように、本体１０が外部の情報処理装置２２のデータ通信用スロット２３に着脱可能になるようにして、通信手段２０を直接、情報処理装置２２に接続してデータ通信を行う構成としてもよい。また、図４に示すように、本体１０と外部の情報処理装置２２との間のデータ通信を無線で行うような構成としてもよい。尚、図４では、本体１０の省電力化を考慮して、情報処理装置２２との間に中継器２４を設置している。中継器２４を複数設けることにより本体１０との通信を広範囲にわたって行うこともできる。
【００２７】
本体１０の駆動は、内蔵した薄形電池により行うが、小型の太陽電池パネルを本体１０の表面に配設して駆動電源としてもよい。また、本体１０をＩＣカードで構成してもよい。
【００２８】
次に動作、作用について説明する。図５は本体１０の使用例を示したものである。ここで、図５（ａ）は主に脈波、心電図、体脂肪率、体温及び皮膚温を検出する場合の使用例を示し、図５（ｂ）は主に心拍や呼吸による体表面の振動と身体動作による体動や体温及び皮膚温を検出する場合の使用例を示している。
【００２９】
先ず、図５（ａ）に示すように、本体１０を両方の手で支持して使用する場合について述べる。この場合、本体１０表側の電極１３ａ、１３ｂにそれぞれ右手と左手の親指が接触するように、かつ、本体１０裏側の発光部１２ａと受光部１２ｂに右手の人差し指が、温度検出部１４に左手の人差し指がそれぞれ接触するように本体１０を支持して使用する。
【００３０】
このようにして本体１０を使用すると、受光部１２ｂからは光電容積脈波が検出され、電極１３ａ、１３ｂからは選択部２２での検出回路の選択結果に基づき、心電図、体脂肪率を求めるための身体の電気抵抗の少なくとも１つが検出され、温度検出部１４からは体温及び皮膚温が検出される。そして、演算手段１７では、上記の脈波や心電図に基づき脈拍数、不整脈回数、速度脈波、加速度脈波、脈波伝播時間、血圧及び体脂肪率が演算される。
【００３１】
これらの検出値、演算値のうち、電極１３ａと１３ｂにより検出された心電図波形と、受光部１２ｂにより検出された脈波波形、及び演算手段１７で演算された加速度脈波波形を図６に示した。また、脈拍数は例えば図６のように心電図波形から一拍間隔Ｐｉｎを求め、６０をＰｉｎで割ることにより求められる。不整脈回数はＰｉｎがある範囲を逸脱した回数をカウントして求められる。速度脈波、加速度脈波は脈波をそれぞれ１回微分、２回微分して求める。脈波伝播時間は、心電図波形のＲ波と脈波波形の立上りとの間の時間で、図６のＰＴＴとして求められる。
【００３２】
血圧の演算手順を以下に示す。図６のように脈波波形のピークと谷をＰ、Ｔ、Ｃ、加速度脈波波形のピークと谷をａ、ｂ、ｃ、ｄ、ｅとする。Ｐの振幅でＴやＣの振幅を割った値はそれぞれ弾性係数、切痕係数と呼ばれ、血管弾性や血管の拡張度合いに関連するとされている。また、ａの振幅でｂ、ｃ、ｄ、ｅの振幅を割った値（以下、加速度脈波係数と呼ぶ）は血圧と関連があるとされている。したがって、例えばＰの振幅でＣの振幅を割った値をＤＩ、ａの振幅でｄの振幅を割った値をＲｄとすると、血圧とＤＩ、Ｒｄは図８に示すような関係がある。ここで、図８中のＬ１、Ｌ２はそれぞれ最高血圧ＢＰ１、最低血圧ＢＰ２を求めるための算出ラインである。演算手段１７ではこのような算出ラインに基づき血圧を演算する。尚、この算出ラインは予め実験により求めておくことができる。
【００３３】
演算手段１７で演算された速度脈波、加速度脈波は血液循環動態を評価する上で有用な指標とされおり、例えば、ａ、ｂ、ｃ、ｄ、ｅの位置関係に基づき加速度脈波をいくつかのタイプ別に分類したものは血液循環動態の良否とは相関があるとされている。したがって、演算手段１７で上記のような加速度脈波タイプの分類を行なう構成としてもよい。また、図９はＰＴＴと動脈硬化度との関係を示したものであるが、この関係を用いて演算手段１７でＰＴＴから動脈硬化度を演算する構成としてもよい。
【００３４】
選択部２２で体脂肪率の測定が選択された場合は、先ず電極１３ａ、１３ｂ間の電気抵抗が検出され、この電気抵抗値に基づき演算手段１７で体脂肪率が演算される。電気抵抗と体脂肪率との関係は予め実験により求めておくことができる。
【００３５】
次に、図５（ｂ）に示すように、本体１０を上着のポケット等に入れ、身に付けて使用する場合について述べる。この場合、本体１０を腰ベルト等に固定したり、ペンダントのように本体１０を首からぶら下げて直接、皮膚に接触するようにして使用してもよい。また、就寝時は、上記のように直接身に付けても良いが、枕や布団の下に挟み込んだり、ベッドのマットレスに固定したりして使用してもよい。
【００３６】
このようにして本体１０を使用すると、振動検出部１５により心拍や呼吸による体表面の振動や身体動作による体動が検出される。図９は振動検出部１５の出力信号に心拍と呼吸それぞれの成分を濾波するフィルタを通して検出された、心拍や呼吸による体表面の振動の波形を示したもので、同図（ａ）は心拍による波形、同図（ｂ）は呼吸による波形である。前記フィルタの特性は、例えば心拍については１Ｈｚ〜１０Ｈｚのバンドパス、呼吸については０．１Ｈｚ〜１Ｈｚのバンドパスを使用する。同図のような波形に基づき、演算手段１７では心拍数や呼吸数を演算したり、不整脈回数や無呼吸の発生した回数を演算する。
【００３７】
振動検出部１５により体動の有無が検出されると、演算手段１７では体動静止時間から睡眠深度を演算する。この場合の体動静止時間と睡眠深度との関係を図１０に示す。また、演算手段１７では振動検出部１５の出力信号を積算することにより、一日の運動量を演算する。さらに、温度検出部１４で検出した着衣面の温度から皮膚温や体温を演算したり、図１１に示すような体温の日内リズムを求めてもよい。
【００３８】
選択部２２で皮膚抵抗の測定が選択された場合は、本体１０を図５のような方法では支持せずに、例えば同側の手の人差し指と中指をそれぞれ電極１３ｂと１３ａに接触し、電極１３ａ、１３ｂ間の電気抵抗を検出する。そして、演算手段１７では検出した電気抵抗に基づき生体の緊張度を演算する。電気抵抗と緊張度との関係は予め実験により求めておくことができる。尚、緊張度の演算については、皮膚抵抗に限らず、心拍数やＰｉｎのゆらぎに基づいて演算してもよい。
【００３９】
上記のようにして得られた検出値や演算値は記憶手段１８に記憶される。また、入力手段１６からは、本体１０を使用する使用者の氏名、身長、体重といった個人属性や治療に関する情報を入力することができ、これらの情報も記憶手段１８に記憶される。表示手段１９には、例えば脈波や心電図の波形のような生体情報検出手段１１からのリアルタイムの信号を表示したり、記憶手段１８に記憶された過去からの蓄積データを表示することができる。
【００４０】
通信手段２０は、生体情報検出手段１１、演算手段１７、及び記憶手段１８と外部の情報処理装置２１とを通信可能とする。この場合、図３のように本体１０を直接、情報処理装置２１のデータ通信用スロット２３に差し込んでデータ通信を行ったり、図４のように中継器２４を介して無線で情報処理装置２１とデータ通信を行う。また、モデム等を介して電話回線で本体１０と情報処理装置２１とを通信可能としてもよい。
【００４１】
例えば情報処理装置２１で本体１０を使用する個々の使用者の生体情報をモニタしたい場合は、生体情報検出手段１１からのリアルタイムの信号や記憶手段１８に記憶された過去からの蓄積データを外部の情報処理装置２１に伝送し、情報処理装置２１で使用者ごとのデータ管理を行う。また、例えば新規に本体１０を使用する場合には、カルテ情報等を情報処理装置２１から本体１０へ伝送して記憶手段１８に記憶する。
【００４２】
上記作用により、カード型の本体１０に配設された生体情報検出手段１１に生体の一部を接触するか、または、本体１０を身に付けて携帯するだけで生体情報を検出し、その生体情報を本体１０に配設された記憶手段１８に記憶するとともに、表示手段１９に表示するので、薄形で収納性、携帯性に優れ、使用する際に手間がかからない上、身に付けていても拘束感なく生体情報をモニタすることができる。
【００４３】
また、本体１０に生体情報とともに氏名、身長、体重といった個人属性や治療に関する情報を入力し記憶するので、例えば個人属性や治療に関する情報と生体情報との関係を解析して治療に役立てることができる。
【００４４】
また、生体情報検出手段１１が、脈波、心電図、体脂肪率、皮膚抵抗、体温、心拍や呼吸による体表面の振動、身体動作による体動の少なくとも１つを検出するので、１つの本体１０で効率的に生体情報を検出することができる。
【００４５】
また、生体情報検出手段１１の出力信号に基づき演算手段１７が、脈拍数、不整脈回数、速度脈波、加速度脈波、脈波伝播時間、血圧、体脂肪率、皮膚温、体温、呼吸数、睡眠深度、運動量、緊張度といった生理心理指標の少なくとも一つを演算し、記憶手段１８に記憶するので、１つの本体１０で効率的に生理心理指標を演算することができる。
【００４６】
また、本体１０に備えられた通信手段が、生体情報検出手段１１、演算手段１７、及び記憶手段１８の少なくとも１つと外部の情報処理装置２１とを通信可能とするので、例えば外部の情報処理装置２１で個体ごとの健康管理を行ったり、本体１０を所持している生体の生命活動の有無や現在位置といった安否情報を管理することができる。
【００４７】
また、本体１０が外部の情報処理装置２１のデータ通信用スロット２３に着脱可能なので、通信ケーブルが不要となり通信処理の際の操作を簡単にすることができる。
【００４８】
さらに、通信手段２０が、外部の情報処理装置２１と電話回線で通信可能なので、遠隔地からのデータのやりとりができる。
【００４９】
尚、本体１０には個人的な情報が記憶されるため、例えば使用の際に、入力手段１６から予め個人毎に割り当てられたＩＤとパスワードを入力しないと作動しないといった構成としてもよく、機密保護ができる。
【００５０】
また、上記構成では、脈波は左手側からしか検出できないが、温度検出部１４に隣接してもう一組の発光部と受光部を配設して右手側からも脈波を検出できる構成としてもよく、左右の脈波を比較することにより、上肢における動脈硬化の発生の有無等、循環動態が判定できる。
【００５１】
また、発光部１２ａと受光部１２ｂの組を異なる複数波長領域で複数組設け、複数の出力信号の比から血中酸素飽和濃度や血液量を演算する構成としてもよい。また、一般にマイクロバイブレーションと呼ばれている手や指の細かな振動を振動検出部１５で検出してもよく、循環系や自律神経系の機能評価に活用できる。
【００５２】
また、血圧の算出ラインについては、例えば弾性係数とＲｄ以外の加速度脈波係数を用いて求める、といったように、脈波、速度脈波、加速度脈波から求まるＤＩ、Ｒｄ以外の指標に基づき血圧の算出ラインを求めてもよい。また、入力手段１６から入力される身長、体重、年齢等の個人属性で上記の算出ラインを補正するようにしてもよい。
【００５３】
また、発光部１２ａと受光部１２ｂ、電極１３ａと１３ｂ、温度検出部１４の周囲に圧力検出部を設け、前記圧力検出部により本体１０を使用する際の指面の接触圧を検出し、検出した接触圧がある範囲内に入っていれば生体情報の検出動作を行うといった構成にしてもよく、生体情報を検出する際の信頼性が向上する。この場合、検出した接触圧が上記範囲外ならば警報表示を行う等の構成を付加してもよい。
【００５４】
また、本体１０に電卓機能を付加したり、電子手帳やキャッシュレスバングのための機能を付加する構成としてもよい。
【００５５】
尚、上記実施例の生体モニタ装置は、生体情報や安否確認のモニタとしての用途のみならず、バイオフィードバックによるストレスマネジメントへの適用も可能である。
【００５６】
また、上記実施例は、人体の生体情報をモニタするものであるが、例えば人以外の生物の行動調査等の目的で生体情報をモニタする場合にも使用可能である。
【００５７】
【発明の効果】
以上説明したように本発明の請求項１にかかる生体モニタ装置は、生体情報を検出する生体情報検出手段と前記生体情報検出手段の出力信号を記憶する記憶手段とがカード型本体に配設されているため、軽量、薄形で携帯性がよく、使用時の手間がかからない上、身に付けていても拘束感のない生体モニタ装置を実現することができるといった効果がある。また、生体情報検出手段は、前記カード型本体の一方の表面に配設された心電図、体脂肪率、皮膚抵抗の少なくとも１つを検出するための複数の電極を備えるとともに、前記電極に対向した前記カード型本体の他方の表面に配設された脈波を検出するための発光部及び受光部、または、体温や皮膚温を検出するための温度検出部の少なくとも１つを備えているので、脈波、心電図、体脂肪率、皮膚抵抗、体温の少なくとも１つを１つのカード型本体で効率的に検出することができる。
【００５８】
また、請求項２にかかる生体モニタ装置は、カード型本体に前記生体情報とともに氏名、身長、体重といった個人属性や治療に関する情報を入力し記憶するので、例えば個人属性や治療に関する情報と生体情報との関係を解析して治療に役立てることができるといった効果がある。
【００５９】
また、請求項３にかかる生体モニタ装置は、生体情報検出手段の出力信号に基づき演算手段が、脈拍数、不整脈回数、速度脈波、加速度脈波、脈波伝播時間、血圧、体脂肪率、皮膚温、体温、呼吸数、睡眠深度、運動量、緊張度といった生理心理指標の少なくとも一つを演算し、記憶手段に記憶するので、１つのカード型本体で効率的に生理心理指標を演算することができるといった効果がある。
【００６０】
また、請求項４にかかる生体モニタ装置は、体に備えられた通信手段が、生体情報検出手段、演算手段、及び記憶手段の少なくとも１つと外部の情報処理装置とを通信可能とするので、例えば外部の情報処理装置で個体ごとの健康管理を行ったり、本体を所持している生体の生命活動の有無や現在位置といった安否情報を管理することができるといった効果がある。
【００６１】
また、請求項５にかかる生体モニタ装置は、本体が外部の情報処理装置のデータ通信用スロットに着脱可能なので、通信ケーブルが不要となり通信処理の際の操作を簡単にすることができるといった効果がある。
【００６２】
さらに、請求項６にかかる生体モニタ装置は、外部の情報処理装置と電話回線で通信可能なので、遠隔地からのデータのやりとりができるといった効果がある。
【図面の簡単な説明】
【図１】  本発明の実施例１における生体モニタ装置のブロック図
【図２】  （ａ）同装置の表側の外観図
（ｂ）同装置の裏側の外観図
【図３】  同装置と外部の情報処理装置との外観図
【図４】  同装置と外部の情報処理装置との外観図
【図５】  （ａ）同装置の使用方法を示す外観図
（ｂ）同装置の使用方法を示す外観図
【図６】  同装置で検出される心電図、脈波及び加速度脈波の波形を示す特性図
【図７】  切痕係数ＤＩと加速度脈波係数Ｒｄと血圧との関係を示す特性図
【図８】  脈波伝播時間ＰＴＴと動脈硬化度との関係を示す特性図
【図９】  同装置で検出される心拍と呼吸の波形を示す特性図
【図１０】  体動静止時間と睡眠深度との関係を示す特性図
【図１１】  同装置で検出される体温の経時変化を示す特性図
【図１２】  従来の生体モニタ装置（引例１）の外観図
【図１３】  従来の生体モニタ装置（引例２）の外観図
【符号の説明】
１０  本体
１１  生体情報検出手段
１２ａ  発光部
１２ｂ  受光部
１３ａ、１３ｂ  電極
１４  温度検出部
１５  振動検出部
１６  入力手段
１７  演算手段
１８  記憶手段
１９  表示手段
２０  通信手段
２１  情報処理装置
【図１】
0004092769.tif 000002
【図２】
0004092769.tif 000003
【図３】
0004092769.tif 000004
【図４】
0004092769.tif 000005
【図５】
0004092769.tif 000006
【図６】
0004092769.tif 000007
【図７】
0004092769.tif 000008
【図８】
0004092769.tif 000009
【図９】
0004092769.tif 000010
【図１０】
0004092769.tif 000011
【図１１】
0004092769.tif 000012
【図１２】
0004092769.tif 000013
【図１３】
0004092769.tif 000014